(57)【特許請求の範囲】
【請求項１】
容器内部に貯蔵された薬液を吸い上げる吸液芯を備えた液体容器に組み合わされて前記吸液芯を加熱し前記薬液を気化させる加熱蒸散器であって、
前記吸液芯を抜き差し自在に覆う外郭部と、
前記外郭部に収容されて前記吸液芯を加熱自在なヒータと、
前記液体容器を照らすよう発光自在な光源と、
前記ヒータおよび前記光源に供給される電力を導く電源プラグと、
前記電源プラグと前記光源との間に設けられた抵抗と、
前記抵抗と前記光源とを電気的に接続する圧着部と、
前記外郭部に収容されて前記光源、前記圧着部および前記抵抗を巻き付ける板状の光源取付板と、を備え、
前記光源取付板は、表裏の面に設けられて前記光源、前記圧着部および前記抵抗のそれぞれの導電部分の間を絶縁する区画壁を備えたことを特徴とする加熱蒸散器。
【請求項２】
前記光源取付板は、前記光源と前記外郭部との間に配置されたことを特徴とする請求項１に記載の加熱蒸散器。
【請求項３】
前記外郭部に収容されるとともに、前記光源、前記圧着部、前記抵抗および前記光源取付板を一体に嵌め込まれた凹没部および前記凹没部に連続させて開口され前記光源の発する光を前記液体容器へ導く孔を有する内壁部材を備えたことを特徴とする請求項１または２に記載の加熱蒸散器。
【発明の詳細な説明】
【技術分野】
【０００１】
本発明に係る実施形態は加熱蒸散器に関する。
【背景技術】
【０００２】
部屋の消臭や芳香などに適した薬液を気化、蒸散させる加熱蒸散器が知られている。加熱蒸散器は、容器内部に貯蔵された薬液を吸い上げる吸液芯を備えた液体容器に組み合わされて用いられ、吸液芯を加熱し薬液を気化させて蒸散させる。
【０００３】
このような加熱蒸散器は、液体容器内の薬液が枯渇すると消臭や芳香を行うことができなくなる。ところが、加熱蒸散器の使用を継続していると、使用者は加熱蒸散器を使用していることを忘却してしまうことがある。そこで、使用者に液体容器内の薬液残量を認知させるために液体容器を照らす光源を備えた加熱蒸散器が知られている。
【先行技術文献】
【特許文献】
【０００４】
【特許文献１】実公平６−８７０５号公報
【発明の概要】
【発明が解決しようとする課題】
【０００５】
液体容器を照らす光源を備えた加熱蒸散器は、液体容器を透過した光で薬液の液面を照らし、この薬液の液面における反射光を使用者に観測させて薬液の残量（液位レベル）を認知させる。ところで、加熱蒸散器は、液体容器を照らす光源の他に、液体容器の吸液芯を加熱自在なヒータを備える。
【０００６】
このように光源およびヒータを備える加熱蒸散器は、光源およびヒータを含む電気回路の組立が容易であること、この電気回路を実装する回路基板が簡素であること、外郭を含む本体構造と電気回路との組立が容易であることなど、極力少ない部品点数で、極めて容易に組み立てられることが望まれている。他方、加熱蒸散器は、電気回路における短絡などの故障を起こさないように信頼性、安全性を高める必要もある。
【０００７】
そこで、本発明は、液体容器を照らす光源および薬液を気化させるヒータを備えつつ、組立の容易性と電気回路の信頼性および安全性とを両立させた加熱蒸散器を提供することを目的とする。
【課題を解決するための手段】
【０００８】
前記の課題を解決するため、本発明の実施形態に係る加熱蒸散器は、容器内部に貯蔵された薬液を吸い上げる吸液芯を備えた液体容器に組み合わされて前記吸液芯を加熱し前記薬液を気化させる加熱蒸散器であって、前記吸液芯を抜き差し自在に覆う外郭部と、前記外郭部に収容されて前記吸液芯を加熱自在なヒータと、前記液体容器を照らすよう発光自在な光源と、前記ヒータおよび前記光源に供給される電力を導く電源プラグと、前記電源プラグと前記光源との間に設けられた抵抗と、前記抵抗と前記光源とを電気的に接続する圧着部と、前記外郭部に収容されて前記光源、前記圧着部および前記抵抗を巻き付けられる板状の光源取付板と、を備え、前記光源取付板は、表裏の面に設けられて前記光源、前記圧着部および前記抵抗のそれぞれの導電部分の間を絶縁する区画壁を備えたことを特徴とする。
【図面の簡単な説明】
【０００９】
【図１】本発明の実施形態に係る加熱蒸散器を示した斜視図。
【図２】本発明の実施形態に係る加熱蒸散器を示した斜視図。
【図３】本発明の実施形態に係る加熱蒸散器を示した平面図。
【図４】本発明の実施形態に係る加熱蒸散器を示した正面図。
【図５】本発明の実施形態に係る加熱蒸散器を示した左側面図。
【図６】図４のＶＩ−ＶＩ線において、本発明の実施形態に係る加熱蒸散器を示した断面図。
【図７】本発明の実施形態に係る加熱蒸散器を示した分解斜視図。
【図８】本発明の実施形態に係る加熱蒸散器の外郭およびヒータを外して示した平面図。
【図９】本発明の実施形態に係る加熱蒸散器の外郭を外して示した斜視図。
【図１０】本発明の実施形態に係る加熱蒸散器の電気回路を示した概略図。
【図１１】本発明の実施形態に係る加熱蒸散器の光源モジュールを示した斜視図。
【図１２】本発明の実施形態に係る加熱蒸散器の光源モジュールを示した斜視図。
【図１３】本発明の実施形態に係る加熱蒸散器の光源モジュールを示した正面図。
【図１４】本発明の実施形態に係る加熱蒸散器の光源モジュールを示した背面図。
【発明を実施するための形態】
【００１０】
以下、本発明に係る加熱蒸散器の実施の形態について、図１から図１４を参照して説明する。
図１は、本発明の実施形態に係る加熱蒸散器を示した斜視図である。
図２は、本発明の実施形態に係る加熱蒸散器を示した斜視図である。
図３は、本発明の実施形態に係る加熱蒸散器を示した平面図である。
図４は、本発明の実施形態に係る加熱蒸散器を示した正面図である。
図５は、本発明の実施形態に係る加熱蒸散器を示した左側面図である。
図６は、図４のＶＩ−ＶＩ線において、本発明の実施形態に係る加熱蒸散器を示した断面図である。
図７は、本発明の実施形態に係る加熱蒸散器を示した分解斜視図である。
図８は、本発明の実施形態に係る加熱蒸散器の外郭およびヒータを外して示した平面図である。
図９は、本発明の実施形態に係る加熱蒸散器の外郭を外して示した斜視図である。
なお、図２は、加熱蒸散器１から液体容器１０１を取り外した状態を示した図である。
【００１１】
図１から図９に示すように、本実施形態に係る加熱蒸散器１は、容器１０２内部に貯蔵された薬液１０３を吸い上げる吸液芯１０５を備えた液体容器１０１に組み合わされて、吸液芯１０５を加熱し薬液１０３を気化させるものである。
ここで先ず、加熱蒸散器１とともに用いられる液体容器１０１は、容器１０２と、吸液芯１０５と、薬液１０３と、を備える。
【００１２】
容器１０２は、熱に強く透明な合成樹脂製の容器であり、正面に形成された楕円状の嵌合突起部１０７と、上部に形成されたキャップ取付部１０８と、を備える。キャップ取付部１０８は、容器１０２の内外を連通させる開口を有するとともにこの開口を塞ぐ栓部１０９を備える。栓部１０９は、容器１０２の内外を連通させる吸液芯挿入孔１１１および吸気口１１２を有する。
吸液芯１０５は、栓部１０９の吸液芯挿入孔１１１を貫いて容器１０２の内外に延びた棒状体である。
【００１３】
加熱蒸散器１は、吸液芯１０５を抜き差し自在に覆う外郭部３と、外郭部３に収容されて吸液芯１０５を加熱自在なヒータ５と、液体容器１０１を照らすよう発光自在な光源６と、ヒータ５および光源６に供給される電力を導く電源プラグ７と、電源プラグ７と光源６との間に設けられた抵抗８と、抵抗８と光源６とを電気的に接続する第一圧着部９（圧着部）と、外郭部３に収容されて光源６、第一圧着部９および抵抗８を順次表裏に巻き付けられた光源取付板１１と、を備える。
【００１４】
また、加熱蒸散器１は、外郭部３に収容されて液体容器１０１を着脱自在に保持する内壁部材１２と、ヒータ５および内壁部材１２を外郭部３に共締めする締結部材１３と、電源プラグ７と光源６との間に設けられたダイオード１５と、ダイオード１５と光源６とを電気的に接続する第二圧着部１６と、ダイオード１５およびヒータ５と電源プラグ７との間に設けられた保護抵抗１７と、ダイオード１５およびヒータ５と電源プラグ７とを電気的に接続する第三圧着部１８と、を備える。
【００１５】
外郭部３は、合成樹脂製を用いて一体成形された筐体であり、平面視において角丸の横長長方形状に形成され、正面視において縦長長方形状に形成された筐体である。外郭部３は、頂部に開口された蒸散口３ａおよび底部に開口された液体容器投入口３ｂを有する。
【００１６】
また、外郭部３は、正面底部側に形成された舌状部１９と、舌状部１９に対向させて背面底部側に形成された外郭プラグ収納部２１と、舌状部１９および外郭プラグ収納部２１に連続させて両側面底部側に形成された切欠部２２を有する。舌状部１９および外郭プラグ収納部２１は、液体容器投入口３ｂの開口縁を形成する。舌状部１９は、液体容器投入口３ｂに配置された液体容器１０１の正面の一部を覆う。外郭プラグ収納部２１は、背面の法線方向に突出された略扁平長方体形状の空間を区画する。切欠部２２は、液体容器投入口３ｂに配置された液体容器１０１の側面を露出させて容器１０２の視認性を上げる。
さらに、外郭部３は、上部内壁から下方へ垂下させて形成された保持部材固定ボス２３を備える。
【００１７】
内壁部材１２は、液体容器投入口３ｂから外郭部３の内側に嵌め込まれて収容される。内壁部材１２は、液体容器１０１を着脱自在に保持するとともにヒータ５、光源６、電源プラグ７および光源取付板１１を外郭部３内に保持する。
【００１８】
また、内壁部材１２は、合成樹脂製を用いて一体成形された部材であり、液体容器１０１の容器１０２の一部（キャップ取付部１０８）を覆うとともに吸液芯１０５が差し込まれる液芯挿入孔２５を有する筒状部２６と、筒状部２６に併設された保持部材取付ボス２７と、外郭部３の舌状部１９内側に沿って形成された容器保持部２８と、筒状部２６の背面に設けられて光源６、第一圧着部９および光源取付板１１を一体に嵌め込まれた光源取付板収容部２９（凹没部）と、外郭部３の外郭プラグ収納部２１とともに電源プラグ７が収容されたプラグ収納室３１を区画する内壁プラグ収納部３２と、を備える。
さらに、内壁部材１２は、光源取付板収容部２９に連続させて開口され光源６の発する光を液体容器１０１へ導く孔部３３を有する。
保持部材取付ボス２７は、ヒータ５を仮固定する取付舌片３５を備える。
【００１９】
容器保持部２８は、舌状部１９内側に隙間を形成しつつ舌状部１９の下端近傍へ伸びた略Ｕ字形状もしくはアーチ形状の枠体であり、液体容器１０１の嵌合突起部１０７を嵌め込みまたは離脱させることのできるよう内壁部材１２の他の部分よりも剛性を低下させて形成される。内壁部材１２は、容器保持部２８に液体容器１０１の嵌合突起部１０７が嵌め込まれると、吸液芯１０５を液芯挿入孔２５に配置するとともに筒状部２６でキャップ取付部１０８を覆い、容器保持部２８と内壁プラグ収納部３２との間に容器１０２の正面と背面とを挟み込んで液体容器１０１を着脱自在に保持する。容器保持部２８と舌状部１９との隙間は、外郭部３内に空気を導く吸気口としての機能も担う。
【００２０】
光源取付板収容部２９は、光源６、第一圧着部９、抵抗８および光源取付板１１を一体に備えた光源モジュール３７を一体的に嵌め込み可能であるとともに光源モジュール３７を保持可能な空間を区画する。また、光源取付板収容部２９を区画する壁は、光源６と外郭部３の前面との間に配置され、光源６の光が外郭部３の前面側に漏光することを抑制する。
【００２１】
内壁プラグ収納部３２は、底部から上方へ延びた固定突起３８を備える。固定突起３８は、電源プラグ７に形成された固定孔７ａに挿入されて電源プラグ７を固定する。また、内壁プラグ収納部３２は、液体容器１０１に臨む面に液体容器１０１の嵌合突起部１０７を嵌め込みまたは離脱させることのできるよう凹部４１および突起４２を備える。内壁部材１２は、仮に嵌合突起部１０７を加熱蒸散器１の背面に向けて液体容器１０１が液体容器投入口３ｂに挿入されても、凹部４１に嵌合突起部１０７が嵌め込まれると突起４２によって嵌合突起部１０７を支持して液体容器１０１を着脱自在に保持する。
【００２２】
ヒータ５は、吸液芯１０５を挿抜自在な加熱孔５ａを有する例えば金属製の環状部材（図示省略）と、例えばＰＴＣ（Ｐｏｓｉｔｉｖｅ  Ｔｅｍｐｅｒａｔｕｒｅ  Ｃｏｅｆｆｉｃｉｅｎｔ）を用いた発熱体（図示省略）と、を備える。ヒータ５は、締結部材１３および保持部材取付ボス２７の取付舌片３５を挿通される孔部４３を有する。
光源６は、ＬＥＤ（Ｌｉｇｈｔ  Ｅｍｉｔｔｉｎｇ  Ｄｉｏｄｅ）を用いて構成される。光源６は、孔部３３に配置されて液体容器１０１を照らす。
【００２３】
電源プラグ７は、光源取付板１１とともに外郭部３の外郭プラグ収納部２１および内壁部材１２の内壁プラグ収納部３２によって区画されたプラグ収納室３１に収容される。なお、電源プラグ７はコードタイプであってもよい。
【００２４】
締結部材１３は、内壁部材１２の保持部材取付ボス２７およびヒータ５の孔部４３を貫いて外郭部３の保持部材固定ボス２３に内壁部材１２およびヒータ５を共締めする。
図１０は、本発明の実施形態に係る加熱蒸散器の電気回路を示した概略図である。
図１１は、本発明の実施形態に係る加熱蒸散器の光源モジュールを示した斜視図である。
図１２は、本発明の実施形態に係る加熱蒸散器の光源モジュールを示した斜視図である。
図１３は、本発明の実施形態に係る加熱蒸散器の光源モジュールを示した正面図である。
図１４は、本発明の実施形態に係る加熱蒸散器の光源モジュールを示した背面図である。
【００２５】
図１０に示すように、加熱蒸散器１は、ヒータ５と、光源６と、電源プラグ７と、電源プラグ７と光源６との間に設けられた抵抗８と、抵抗８と光源６とを電気的に接続する第一圧着部９と、電源プラグ７と光源６との間に設けられたダイオード１５と、ダイオード１５と光源６とを電気的に接続する第二圧着部１６と、ダイオード１５およびヒータ５と電源プラグ７との間に設けられた保護抵抗１７と、ダイオード１５およびヒータ５と電源プラグ７とを電気的に接続する第三圧着部１８と、を備える。
このうち、光源６、抵抗８、第一圧着部９、ダイオード１５および第二圧着部１６は光源取付板１１に巻き付けられた光源モジュール３７を構成する。
抵抗８は、光源６に供給される電流を順方向電流（ＩＦＭ）以下に降圧する。
ダイオード１５は、光源６に供給される電流を整流する。
【００２６】
第一圧着部９、第二圧着部１６および第三圧着部１８は、ヒータ５、光源６、抵抗８、ダイオード１５および保護抵抗１７のそれぞれの導線（所謂、素子の足）間でかしめられて電気的な接続を行う。
【００２７】
さらに具体的には、図１０から図１４に示すように、加熱蒸散器１の光源モジュール３７は、光源取付板１１の第一面１１ａの第一辺４５ａの縁部中央に配置された光源６と、第一面１１ａを横断させて第二辺４５ｂで折り返され第二面１１ｂに至る一対の光源６の導線６ａ、６ｂと、第一圧着部９によって導線６ａに接続され第二面１１ｂを横断させて第一辺４５ａで折り返され第一面１１ａに戻る抵抗８の導線８ａと、第一面１１ａの第三辺４５ｃに寄せて配置された抵抗８と、第一面１１ａの第二辺４５ｂで折り返され第二面１１ｂに至る抵抗８の導線８ｂと、第二圧着部１６によって導線６ｂに接続され第二面１１ｂを横断させて第一辺４５ａで折り返され第一面１１ａに戻るダイオード１５の導線１５ａと、第一面１１ａの第四辺４５ｄに寄せて配置されたダイオード１５と、第一面１１ａの第二辺４５ｂで折り返され第四辺４５ｄの側方に延びるダイオード１５の導線１５ｂと、を備える。なお、第一面１１ａと第二面１１ｂとは、光源取付板１１の表裏の面である。第一辺４５ａと第二辺４５ｂとは略平行な光源取付板１１の二辺であり、第三辺４５ｃと第四辺４５ｄとは略平行な光源取付板１１の他の二辺である。
【００２８】
そして、光源取付板１１は、表裏の面（第一面１１ａ、第二面１１ｂ）に設けられて光源６、第一圧着部９、第二圧着部１６および抵抗８のそれぞれの導電部分の間を絶縁する区画壁４６を備える。より具体的には、光源取付板１１は、光源６の導線６ａ、６ｂ間を区画する第一区画壁４６ａと、導線６ａ、６ｂ、第一圧着部９、第二圧着部１６および抵抗８の導線８ａ、ダイオード１５の導線１５ａ間を区画する第二区画壁４６ｂと、導線６ａと導線８ａ、８ｂとの間を区画する第三区画壁４６ｃと、導線６ｂと導線１５ａ、１５ｂとの間を区画する第四区画壁４６ｄと、導線８ｂと導線６ａ、第一圧着部９および導線８ａとの間を区画する第五区画壁４６ｅと、を備える。
【００２９】
そして、図７から図１０に示すように、ダイオード１５の導線１５ｂは、光源取付板収容部２９からプラグ収納室３１内へ引き出されて第三圧着部１８によって保護抵抗１７およびヒータ５の導線５ｂに接続される。
【００３０】
光源取付板１１は、光源取付板収容部２９に嵌め込まれると光源６と外郭部３との間、ここでは光源６と外郭部３の背面との間に配置される。光源取付板１１は、光源６の光が外郭部３の背面側に漏光することを抑制する。また、光源取付板１１は、光源６、抵抗８、ダイオード１５の配置された第一面１１ａを内向きに、他方、第二面１１ｂを外向きにして配置される。さらに、光源取付板１１は、保護抵抗１７の導線と光源６の導線６ｂ、第二圧着部１６およびダイオード１５の導線１５ａとの間を区画する第六区画壁４６ｆと、を備える。
【００３１】
光源取付板１１の第五区画壁４６ｅおよび第六区画壁４６ｆは、電源プラグ７と電気回路との接続部４７を区画する機能も有する。第一区画壁４６ａ、第二区画壁４６ｂ、第三区画壁４６ｃ、第四区画壁４６ｄ、第五区画壁４６ｅおよび第六区画壁４６ｆは、光源取付板１１に設けられたリブ状の構造であり、光源取付板１１の強度および剛性を向上させる。
【００３２】
このように構成された光源モジュール３７は、光源６、抵抗８、ダイオード１５の各導線を適宜の長さに調整した後、第一圧着部９および第二圧着部１６によりそれぞれの素子を接続し、さらに光源６を基点に光源取付板１１に順次巻き付けることによって容易に構成できる。
次に、加熱蒸散器１の組立について説明する。
【００３３】
図７に示すように、ヒータ５、光源モジュール３７および保護抵抗１７の各導線を適宜の長さに調整し、第三圧着部１８および接続部４７をかしめて電気回路を構成する。また、電源プラグ７の固定孔７ａに内壁プラグ収納部３２の固定突起３８を差し込んで電源プラグ７と内壁部材１２とを仮組み立てする。
【００３４】
この後、保持部材取付ボス２７の取付舌片３５をヒータ５の孔部４３に差し込みヒータ５と内壁部材１２とを仮組み立てしつつ、光源モジュール３７を光源取付板収容部２９に嵌め込み、接続部４７を電源プラグ７に接続する。
しかる後、ヒータ５、内壁部材１２および光源モジュール３７を一体的に液体容器投入口３ｂから外郭部３に嵌め込む。
【００３５】
そして、内壁部材１２の保持部材取付ボス２７およびヒータ５の孔部４３を貫いて外郭部３の保持部材固定ボス２３に締結部材１３を締め付けると加熱蒸散器１の組み立てが終わる。
【００３６】
このように構成された本実施形態に係る加熱蒸散器１によれば、光源６、抵抗８およびダイオード１５をかしめて接続し、これを光源取付板１１に巻き付けることで電気回路の一部である光源モジュール３７を構成し、これにヒータ５および保護抵抗１７をかしめて接続することで電気回路を組み立てることができる。すなわち、加熱蒸散器１は比較的高価なプリント基板のような部材や半田付け工程を必要としないため、容易かつ安価に電気回路を組み立てることができる。
【００３７】
また、本実施形態に係る加熱蒸散器１によれば、回路基板としてリブ状の区画壁４６を有する光源取付板１１を備えたことで、極めて簡素な基板構造によって強度および剛性を向上させるとともに電気回路の導線間における短絡の回避を図ることができる。
【００３８】
さらに、本実施形態に係る加熱蒸散器１によれば、リブ状の区画壁４６を有する光源取付板１１を備えたことで、光源取付板収容部２９における電気回路の保持性を向上できる。これによって、加熱蒸散器１の組立は容易に行われる。
【００３９】
さらにまた、本実施形態に係る加熱蒸散器１によれば、ヒータ５および光源６を含む必要最小限の素子と、これらを保持する光源取付板１１によって、極力少ない部品点数で、極めて容易に組み立てることが可能である。
【００４０】
また、本実施形態に係る加熱蒸散器１によれば、各素子間を圧着部９、１６、１８によって接続し、かつ光源取付板１１による各導線間の絶縁が確実に図られるので、信頼性、安全性の高い電気回路を構成できる。
【００４１】
さらにまた、本実施形態に係る加熱蒸散器１によれば、光源取付板１１を光源６と外郭部３の間に配置させたことにより、光源取付板１１が遮光板となり、別途遮光板を設けなくても、外殻部３への漏光を抑制することができる。
【００４２】
したがって、本発明に係る加熱蒸散器１によれば、液体容器１０１を照らす光源６および薬液１０３を気化させるヒータ５を備えつつ、組立の容易性と電気回路の信頼性および安全性とを両立できる。
【符号の説明】
【００４３】
１  加熱蒸散器
３  外郭部
３ａ  蒸散口
３ｂ  液体容器投入口
５  ヒータ
５ａ  加熱孔
６  光源
６ａ  導線
６ｂ  導線
７  電源プラグ
７ａ  固定孔
８  抵抗
８ａ  導線
８ｂ  導線
９  第一圧着部
１１  光源取付板
１１ａ  第一面
１１ｂ  第二面
１２  内壁部材
１３  締結部材
１５  ダイオード
１５ａ  導線
１５ｂ  導線
１６  第二圧着部
１７  保護抵抗
１８  第三圧着部
１９  舌状部
２１  外郭プラグ収納部
２２  切欠部
２３  保持部材固定ボス
２５  液芯挿入孔
２６  筒状部
２７  保持部材取付ボス
２８  容器保持部
２９  光源取付板収容部
３１  プラグ収納室
３２  内壁プラグ収納部
３３  孔部
３５  取付舌片
３７  光源モジュール
３８  固定突起
４１  凹部
４２  突起
４３  孔部
４５ａ  第一辺
４５ｂ  第二辺
４５ｃ  第三辺
４５ｄ  第四辺
４６  区画壁
４６ａ  第一区画壁
４６ｂ  第二区画壁
４６ｃ  第三区画壁
４６ｄ  第四区画壁
４６ｅ  第五区画壁
４６ｆ  第六区画壁
４７  接続部
１０１  液体容器
１０２  容器
１０３  薬液
１０５  吸液芯
１０７  嵌合突起部
１０８  キャップ取付部
１０９  栓部
１１１  吸液芯挿入孔
１１２  吸気口
【図１】
0005582884.tif 000002
【図２】
0005582884.tif 000003
【図３】
0005582884.tif 000004
【図４】
0005582884.tif 000005
【図５】
0005582884.tif 000006
【図６】
0005582884.tif 000007
【図７】
0005582884.tif 000008
【図８】
0005582884.tif 000009
【図９】
0005582884.tif 000010
【図１０】
0005582884.tif 000011
【図１１】
0005582884.tif 000012
【図１２】
0005582884.tif 000013
【図１３】
0005582884.tif 000014
【図１４】
0005582884.tif 000015